(57)【要約】【課題】  伝票等の紙媒体の内容を他店舗に通知するために各店舗にＦＡＸ装置、電話回線を設ける必要があり、ＦＡＸ装置、電話回線を整備、維持するための設備費がかかった。また、ＦＡＸ装置を用いた場合、ＦＡＸ送信する度に通信費が生じることから、多くのＦＡＸ送信が行われた場合、多大な通信費がかかった。【解決手段】  伝票等の紙媒体の内容を他店舗に通知する場合、自店舗に設けられたクライアント端末に接続されたスキャナ装置に紙媒体の内容を示す画像データを生成させ、転送先記憶部の転送先テーブルから選択される他店舗の転送先データに基づいて、生成された画像データを他クライアント端末に送信し、画像データを受けた他クライアント端末では、接続されているプリンタ装置に印刷指示を行い、印刷指示を受けたプリンタ装置が画像データに基づいて印刷処理する。【選択図】図１
2007194827.tif 000002
【特許請求の範囲】
【請求項１】
紙媒体の内容を示す画像データの転送先となりうる他店舗を識別するための店舗識別データ毎に、各他店舗の転送先を示す転送先データが対応づけられた転送先テーブルが保持されている転送先記憶部と、
自店舗に設けられ、スキャナ装置に紙媒体の画像データの取得を指示するクライアント端末と、
複数の他店舗に設けられ、画像データに基づいて印刷処理を実行するプリンタ装置が接続された他クライアント端末と、
前記クライアント端末及び前記他クライアント端末間の通信を制御する管理サーバとを備え、
前記クライアント端末は、
前記転送先記憶部の転送先テーブルの取得を指示するテーブル取得指示部と、
前記取得される転送先テーブルに基づいて、前記スキャナ装置が取得した画像データの転送先となるいずれかの他店舗を選択するための選択画面情報を生成する画面情報生成部と、
前記生成された選択画面情報に基づいて、表示部に選択画面を表示させる表示制御部と、
前記選択画面より、他店舗が選択されると、前記画像データと共に、選択された他店舗の店舗識別データに対応する転送先データを前記管理サーバに送信する通信部とを備え、
前記管理サーバは、
前記転送先データを受信すると、前記転送先データに基づいて、前記画像データを前記他クライアント端末のいずれかに送信するデータ通信部を備え、
前記他クライアント端末は、
前記画像データを受信すると、前記プリンタ装置に対し、前記画像データに基づいた印刷処理を指示する印刷指示部を備えることを特徴とするデータ通信システム。
【請求項２】
複数の他店舗に設けられ、画像データに基づいて印刷処理を実行するＦＡＸ装置を含み、
前記転送先テーブルは、前記店舗識別データ毎に、各他店舗の転送先データ及び転送先の装置が他クライアント端末及びＦＡＸ装置のいずれかを示す装置種別データが対応づけられ、
前記通信部は、前記選択画面より、他店舗が選択されると、前記画像データと共に、選択された他店舗の店舗識別データに対応する転送先データ及び装置種別データを前記管理サーバに送信し、
前記管理サーバは、
前記装置種別データがＦＡＸ装置を示していると、転送先をＦＡＸ装置と判定する転送先判定部と、
前記転送先判定部が転送先をＦＡＸ装置と判定すると、前記転送先データに基づいて、前記ＦＡＸ装置のいずれかに架電すると共に、前記画像データを送信するＦＡＸ送信部とを含むことを特徴とする請求項１記載のデータ通信システム。
【請求項３】
前記ＦＡＸ送信部をＦＡＸサーバが備え、
前記データ通信部は、前記転送先判定部が転送先をＦＡＸ装置と判定すると、前記画像データ及び前記転送先データを前記ＦＡＸサーバに送信することを特徴とする請求項３記載のデータ通信システム。
【請求項４】
前記転送先データは、他店舗の他クライアント端末のＩＰアドレスデータであることを特徴とする請求項１記載のデータ通信システム。
【請求項５】
前記転送先データは、他店舗の他クライアント端末のＩＰアドレス及びＦＡＸ装置のＦＡＸ番号データのいずれかであることを特徴とする請求項２乃至４のいずれかに記載のデータ通信システム。
【発明の詳細な説明】
【技術分野】
【０００１】
本発明は、伝票等の紙媒体の内容を示す画像データを他店舗に転送するデータ通信システムに関し、特に、自店舗に設けられたクライアント端末から他店舗に設けられた他クライアント端末に対して該画像データの送信を行うデータ通信システムに関する。
【背景技術】
【０００２】
紙媒体の内容を示す画像データを転送するデータ通信システムが知られている。例えば、下記特許文献１では、送信元のＦＡＸ装置により、紙媒体を読み取らせ、該紙媒体の内容を示す画像データを生成させると共に、生成された画像データを指定されたＦＡＸ番号データに基づいて、公衆電話網を介して、受信先のＦＡＸ装置に送信させ、該画像データを受信した受信先のＦＡＸ装置が画像データに基づいて印刷処理を行うデータ通信システムが開示されている。
【特許文献１】特開平０８−２９３０９０号公報
【発明の開示】
【発明が解決しようとする課題】
【０００３】
しかしながら、上記したデータ通信システムでは、次のような解決すべき課題があった。即ち、例えば、金融機関等において、伝票等の紙媒体の内容を他店舗に通知するためには、自店舗および他店舗にそれぞれＦＡＸ装置、電話回線を設ける必要があった。このため、ＦＡＸ装置、電話回線を整備・維持するための設備費がかかる問題があった。さらに、ＦＡＸ装置を用いた場合、ＦＡＸ送信する度に通信費が生じることから、多くのＦＡＸ送信が行われた場合、多大な通信費がかかる問題があった。
【課題を解決するための手段】
【０００４】
本発明は、以上の点を解決するために、次の構成を採用する。
〈構成１〉
紙媒体の内容を示す画像データの転送先となりうる他店舗を識別するための店舗識別データ毎に、各他店舗の転送先を示す転送先データが対応づけられた転送先テーブルが保持されている転送先記憶部と、自店舗に設けられ、スキャナ装置に紙媒体の画像データの取得を指示するクライアント端末と、複数の他店舗に設けられ、画像データに基づいて印刷処理を実行するプリンタ装置が接続された他クライアント端末と、前記クライアント端末及び前記他クライアント端末間の通信を制御する管理サーバとを備え、前記クライアント端末は、前記転送先記憶部の転送先テーブルの取得を指示するテーブル取得指示部と、前記取得される転送先テーブルに基づいて、前記スキャナ装置が取得した画像データの転送先となるいずれかの他店舗を選択するための選択画面情報を生成する画面情報生成部と、前記生成された選択画面情報に基づいて、表示部に選択画面を表示させる表示制御部と、前記選択画面より、他店舗が選択されると、前記画像データと共に、選択された他店舗の店舗識別データに対応する転送先データを前記管理サーバに送信する通信部とを備え、前記管理サーバは、前記転送先データを受信すると、前記転送先データに基づいて、前記画像データを前記他クライアント端末のいずれかに送信するデータ通信部を備え、前記他クライアント端末は、前記画像データを受信すると、前記プリンタ装置に対し、前記画像データに基づいた印刷処理を指示する印刷指示部を備えることを特徴とする。
〈構成２〉
構成１のデータ通信システムにおいて、複数の他店舗に設けられ、画像データに基づいて印刷処理を実行するＦＡＸ装置を含み、前記転送先テーブルは、前記店舗識別データ毎に、各他店舗の転送先データ及び転送先の装置が他クライアント端末及びＦＡＸ装置のいずれかを示す装置種別データが対応づけられ、前記通信部は、前記選択画面より、他店舗が選択されると、前記画像データと共に、選択された他店舗の店舗識別データに対応する転送先データ及び装置種別データを前記管理サーバに送信し、前記管理サーバは、前記装置種別データがＦＡＸ装置を示していると、転送先をＦＡＸ装置と判定する転送先判定部と、前記転送先判定部が転送先をＦＡＸ装置と判定すると、前記転送先データに基づいて、前記ＦＡＸ装置のいずれかに架電すると共に、前記画像データを送信するＦＡＸ送信部とを含むことを特徴とする。
〈構成３〉
構成３のデータ通信システムにおいて、前記ＦＡＸ送信部をＦＡＸサーバが備え、前記データ通信部は、前記転送先判定部が転送先をＦＡＸ装置と判定すると、前記画像データ及び前記転送先データを前記ＦＡＸサーバに送信することを特徴とする。
〈構成４〉
構成１のデータ通信システムにおいて、前記転送先データは、他店舗の他クライアント端末のＩＰアドレスデータであることを特徴とする。
〈構成５〉
構成２乃至４のいずれかのデータ通信システムにおいて、前記転送先データは、他店舗の他クライアント端末のＩＰアドレス及びＦＡＸ装置のＦＡＸ番号データのいずれかであることを特徴とする。
【発明の効果】
【０００５】
本発明のデータ通信システムでは、伝票等の紙媒体の内容を他店舗に通知する場合、自店舗に設けられたクライアント端末に接続されたスキャナ装置に紙媒体の内容を示す画像データを生成させ、転送先記憶部の転送先テーブルから選択される他店舗の転送先データに基づいて、該生成された画像データを他クライアント端末に送信し、画像データを受けた他クライアント端末では、接続されているプリンタ装置に印刷指示を行い、該印刷指示を受けたプリンタ装置が画像データに基づいて印刷処理するようにしたので、自店舗および他店舗にそれぞれＦＡＸ装置、電話回線を設ける必要がなくなると共に、伝票等の紙媒体の内容を他店舗に通知するために、ＦＡＸ送信を行う必要がなくなった。従って、ＦＡＸ装置、電話回線を整備、維持するための設備費を低減できる。また、多くのＦＡＸ送信が行われることにより多大な通信費が生じるのを防止できる。
【発明を実施するための最良の形態】
【０００６】
以下、本発明の一実施形態を図を用いて詳細に説明する。
【実施例】
【０００７】
〈実施例の構成〉
図１は、本発明のデータ通信システムを示すブロック構成図である。
【０００８】
図１に示すように、本実施例のデータ通信システムは、自己の店舗に設置され、少なくともスキャナ装置１０Ａが接続されているクライアント端末１０、他店舗に設置され、少なくともプリンタ装置２０Ａが接続されている他クライアント端末２０、センタに設置されている管理端末３０、管理サーバ４０、転送先ＤＢ５０、ＦＡＸサーバ６０、他店舗に設置されているＦＡＸ装置７０、ＩＰネットワーク８０、公衆電話網９０から構成されている。
【０００９】
クライアント端末１０は、他店舗にデータを転送するためにオペレータが操作する端末であり、例えば、ＰＣ（Ｐｅｒｓｏｎａｌ  Ｃｏｍｐｕｔｅｒ）等の端末である。このクライアント端末１０は、制御部１１、テーブル取得指示部１２、画面情報生成部１３、表示制御部１４、通信部１５を有している。また、クライアント端末１０は、ＩＰネットワーク８０を介して管理サーバ４０に接続されている。
【００１０】
スキャナ装置１０Ａは、後述するように、クライアント端末１０から、例えば、伝票等の紙媒体の読取指示を示す読取指示信号を受けると、図示しない読取台に配置された紙媒体を読み取り、紙媒体の内容を示す画像データを生成する装置である。
【００１１】
他クライアント端末２０は、クライアント端末１０からの画像データの印刷処理をプリンタ装置２０Ａに指示する端末であり、例えば、ＰＣ（Ｐｅｒｓｏｎａｌ  Ｃｏｍｐｕｔｅｒ）等の端末である。この他クライアント端末２０は、制御部２１、印刷指示部２２を有している。また、他クライアント端末２０は、ＩＰネットワーク８０を介して管理サーバ４０に接続されている。
【００１２】
プリンタ装置２０Ａは、後述するように、他クライアント端末２０から画像データを付与した印刷指示信号を受けると、付与された画像データに基づいて印刷処理を行う装置である。
【００１３】
管理サーバ４０は、クライアント端末１０および他クライアント端末２０間のデータ通信を制御するサーバであり、制御部４１、テーブル取得部４２、データ通信部４３、転送先判定部４４を有している。この管理サーバ４０には転送先ＤＢ５０、ＦＡＸサーバ６０がそれぞれ接続されている。
【００１４】
転送先ＤＢ５０は、ＨＤＤ等からなるデータベースであり、転送先テーブルが格納されている。本実施例では、この転送先テーブルは、例えば、店舗番号等のような店舗識別データ毎に、他店舗の転送先となる他クライアント端末２０のＩＰアドレス及びＦＡＸ装置７０のＦＡＸ番号のいずれかを示す転送先データと、転送先の他店舗に設置されている装置が他クライアント端末２０及びＦＡＸ装置７０のいずれかを示す装置種別データとがそれぞれ対応づけられたテーブルであることとする。また、この転送先ＤＢ５０には管理端末３０が接続されている。
【００１５】
管理端末３０は、転送先ＤＢ５０を管理すべく、管理者が操作する端末であり、例えば、ＰＣ（Ｐｅｒｓｏｎａｌ  Ｃｏｍｐｕｔｅｒ）等の端末である。この管理端末３０は、制御部３１、転送先登録部３２、転送先削除部３３を有している。
【００１６】
ＦＡＸサーバ６０は、クライアント端末１０とＦＡＸ装置７０間のＦＡＸ送信を制御するサーバであり、制御部６１、ＦＡＸ送信部６２を有している。また、ＦＡＸサーバ６０は、公衆電話網９０を介してＦＡＸ装置７０に接続されている。
【００１７】
ＦＡＸ装置７０は、公衆電話網９０を介して、受信される画像データに基づいて印刷処理を実行する装置である。
【００１８】
以下、本発明のデータ通信システムのクライアント端末１０、他クライアント端末２０、管理端末３０、管理サーバ４０、転送先ＤＢ５０、ＦＡＸサーバ６０、ＦＡＸ装置７０の相互関連について説明を行う。
【００１９】
まず、転送先ＤＢ５０に各店舗の転送先となるＩＰアドレス及びＦＡＸ番号のいずれかを示す転送先データ及び各店舗に設置されている装置が他クライアント端末２０及びＦＡＸ装置７０のいずれかを示す装置種別データが登録または削除されるまでについて説明を行う。
【００２０】
管理端末３０の制御部３１は、いわゆるＣＰＵとして、管理端末３０を制御する部であり、転送先の登録および削除のいずれかの指示を選択するための指示選択画面を図示しない表示部に表示させている。
【００２１】
管理者が指示選択画面を参照し、図示しない入力部を介して、転送先の登録を選択すると、制御部３１は、転送先を登録したい店舗の店舗識別データ、該店舗の転送先データ及び装置種別データを入力するための登録画面を図示しない表示部に表示させる。
【００２２】
管理者が登録画面を参照し、図示しない入力部を介して、店舗識別データと共に、転送先データ及び装置種別データの入力を完了すると、制御部３１は、入力された店舗識別データ、転送先データ、装置種別データを転送先登録部３２に転送する。
【００２３】
転送先登録部３２は、各店舗の転送先データ等を転送先ＤＢ５０に登録する部であり、店舗識別データ、転送先データ、装置種別データを受けると、店舗識別データに転送先データ及び装置種別データを対応づけて転送先テーブルに登録する。
【００２４】
一方、管理者が選択画面を参照し、図示しない入力部を介して、転送先の削除を選択すると、制御部３１は、転送先を削除したい店舗の店舗識別データを入力するための削除画面を図示しない表示部に表示させる。
【００２５】
管理者が削除画面を参照し、図示しない入力部を介して、店舗識別データの入力を完了すると、制御部３１は、入力された店舗識別データを転送先削除部３３に転送する。
【００２６】
転送先削除部３３は、店舗の転送先データ等を転送先ＤＢ５０から削除する部であり、店舗識別データを受けると、店舗識別データに基づいて、転送先ＤＢ５０の転送先テーブルを参照し、対応する店舗の転送先データ、装置種別データを転送先テーブルから削除する。
【００２７】
このように、管理者が管理端末３０により、転送先ＤＢ５０を管理するようにしたので、各店舗の登録先に変更等が生じた場合、迅速に転送先データ等の登録、或いは削除を行うことができる。
【００２８】
次に、クライアント端末１０が設置されている店舗から、他クライアント端末１０が設置されている他店舗、或いは、既存のＦＡＸ装置７０のみが設置されている他店舗に対して、伝票等の紙媒体の内容が通知されるまでについて説明を行う。
【００２９】
クライアント端末１０の制御部１１は、いわゆるＣＰＵとしてクライアント端末１０を制御する部であり、伝票等の紙媒体の読み取りをスキャナ装置１０Ａに指示するための指示画面を図示しない表示部に表示させている。
【００３０】
オペレータが指示画面を参照し、スキャナ装置１０Ａの図示しない読取台に紙媒体を配置すると共に、図示しない入力部を介して、読取指示を行うと、制御部１１は、紙媒体の読み取りを指示する読取指示信号をスキャナ装置１０Ａに送信する。
【００３１】
スキャナ装置１０Ａは、読取指示信号を受けると、図示しない読取台に配置された紙媒体を読み取り、紙媒体の内容を示す画像データを生成する。
【００３２】
テーブル取得指示部１２は、転送先ＤＢ５０の転送先テーブルの取得指示を行う部であり、スキャナ装置１０Ａが画像データを生成すると、生成された画像データを図示しないメモリに一時格納すると共に、画像データの転送先を選択するための転送先テーブルを取得すべく、テーブル取得信号を通信部１５に出力する。
【００３３】
通信部１５は、管理サーバ４０とのデータ通信を行う部であり、テーブル取得信号を受けると、テーブル取得信号を管理サーバ４０に送信する。
【００３４】
管理サーバ４０の制御部４１は、管理サーバ４０を制御する部であり、テーブル取得信号を受信すると、テーブル取得信号をテーブル取得部４２に転送する。
【００３５】
テーブル取得部４２は、転送先ＤＢ５０から転送先テーブルを取得する部であり、テーブル取得信号を受けると、転送先ＤＢ５０から転送先テーブルを取得する。
【００３６】
管理サーバ４０の制御部４１は、テーブル取得部４２が転送先テーブルを取得すると、取得した転送先テーブルをデータ通信部４３に転送する。
【００３７】
データ通信部４３は、クライアント端末１０又は他クライアント端末２０とのデータ通信を行う部であり、転送先テーブルを受けると、転送先テーブルをテーブル要求元である店舗のクライアント端末１０に送信する。
【００３８】
クライアント端末１０の制御部１１は、転送先テーブルを受信すると、転送先テーブルを画面情報生成部１３に転送する。
【００３９】
画面情報生成部１３は、画像データの転送先となる他店舗を選択するための選択画面情報を生成する部であり、転送先テーブルを受けると、転送先テーブルに基づいて、選択画面情報を生成する。
【００４０】
表示制御部１４は、図示しない表示部の画面表示を制御する部であり、画面情報生成部１３が選択画面情報を生成すると、生成された選択画面情報に基づいて、選択画面を図示しない表示部に表示させる。
【００４１】
オペレータが選択画面を参照し、図示しない入力部を介して、いずれかの転送先となる他店舗を選択すると、制御部１１は、メモリの画像データと共に、選択された他店舗の店舗識別データに対応するＩＰアドレス及びＦＡＸ番号のいずれかを示す転送先データ、選択された他店舗に設置されている装置が他クライアント端末２０およびＦＡＸ装置７０のいずれかを示す装置識別データをそれぞれ通信部１５に転送する。
【００４２】
通信部１５は、画像データ、転送先データ、装置識別データを受けると、各データを管理サーバ４０に送信する。
【００４３】
管理サーバ４０の制御部４１は、各データを受信すると、まず、画像データ、転送先データを図示しないメモリに一時格納させると共に、装置識別データを転送先判定部４４に転送する。
【００４４】
転送先判定部４４は、転送先の他店舗の装置が他クライアント端末２０及びＦＡＸ装置７０のいずれかを判定する部であり、受け付けた装置識別データが他クライアント端末２０を示していると、転送先の装置を他クライアント端末２０と判定し、ＦＡＸ装置７０を示していると、転送先の装置をＦＡＸ装置７０と判定する。
【００４５】
ここで、まず、転送先判定部４４が転送先の装置を他クライアント端末２０と判定した場合について説明を行う。
【００４６】
データ通信部４３は、転送先判定部４４が転送先の装置を他クライアント端末２０と判定すると、メモリから画像データ、転送先データを取得すると共に、転送先データ（＝ＩＰアドレス）に基づいて、取得した画像データを他クライアント端末２０に送信する。
【００４７】
他クライアント端末２０の制御部２１は、いわゆるＣＰＵとして、他クライアント端末２０を制御する部であり、画像データを受信すると、画像データを印刷指示部２２に転送する。
【００４８】
印刷指示部２２は、プリンタ装置２０Ａに印刷を指示する部であり、画像データを受けると、画像データを付与した印刷指示信号をプリンタ装置２０Ａに出力する。
【００４９】
プリンタ装置２０Ａは、印刷指示信号を受信すると、付与されている画像データを取得すると共に、取得した画像データに基づいて印刷処理を実行する。
【００５０】
次に、転送先判定部４４が転送先の装置をＦＡＸ装置７０と判定した場合について説明を行う。
【００５１】
転送先判定部４４が転送先の装置をＦＡＸ装置７０と判定すると、メモリから画像データ、転送先データを取得すると共に、取得した画像データ及び転送先データをＦＡＸサーバ６０に転送する。
【００５２】
ＦＡＸサーバ６０の制御部６１は、いわゆるＣＰＵとしてＦＡＸサーバ６０を制御する部であり、画像データ及び転送先データ（＝ＦＡＸ番号）を受けると、各データをＦＡＸ送信部６２に転送する。
【００５３】
ＦＡＸ送信部６２は、画像データをＦＡＸ装置に対して送信する部であり、画像データ及び転送先データを受けると、転送先データ（＝ＦＡＸ番号）に基づいて、ＦＡＸ装置７０に架電すると共に、画像データをＦＡＸ送信する。
【００５４】
ＦＡＸ装置７０は、画像データを受信すると、受信した画像データに基づいて印刷処理を実行する。
【００５５】
このように、伝票等の紙媒体の内容を他店舗に通知する場合、自店舗に設けられたクライアント端末１０に接続されたスキャナ装置１０Ａに紙媒体の内容を示す画像データを生成させ、転送先ＤＢ５０の転送先テーブルから選択される他店舗の転送先データに基づいて、生成された画像データを他クライアント端末２０に送信し、画像データを受けた他クライアント端末２０では、接続されているプリンタ装置２０Ａに印刷指示を行い、該印刷指示を受けたプリンタ装置２０Ａが画像データに基づいて印刷処理するようにしたので、自店舗および他店舗にそれぞれＦＡＸ装置７０、電話回線を設ける必要がなくなると共に、伝票等の紙媒体の内容を他店舗に通知するために、ＦＡＸ送信を行う必要がなくなった。従って、各店舗がＦＡＸ装置７０、電話回線を整備、維持するための設備費を低減できる。また、多くのＦＡＸ送信が行われることにより多大な通信費が生じるのを防止できる。
【００５６】
さらに、装置識別データがＦＡＸ装置７０を示している場合、ＦＡＸサーバ６０が転送先データ（＝ＦＡＸ番号）に基づいて、ＦＡＸ装置７０に架電すると共に、画像データをＦＡＸ送信し、画像データを受信したＦＡＸ装置７０が画像データに基づいて印刷処理するようにしたので、既存のＦＡＸ装置７０のみが設置されている他店舗に対しても、従来と同様に紙媒体の内容を通知できる。
【００５７】
〈実施例の動作〉
以下、本実施例のデータ通信システムの動作について説明を行う。
【００５８】
図２は、本実施例のデータ通信システムの動作フローチャートである。
【００５９】
本動作説明では、クライアント端末１０が設置されている店舗から、他クライアント端末１０が設置されている他店舗、或いは、ＦＡＸ装置７０のみが設置されている他店舗に対して、伝票等の紙媒体の内容が通知されるまでについて説明を行う。
【００６０】
クライアント端末１０の制御部１１は、伝票等の紙媒体の読み取りをスキャナ装置１０Ａに指示するための指示画面を図示しない表示部に表示させている（Ｓ１）。
【００６１】
オペレータが指示画面を参照し、スキャナ装置１０Ａの図示しない読取台に紙媒体を配置すると共に、図示しない入力部を介して、読取指示を行うと（Ｓ２）、制御部１１は、紙媒体の読み取りを指示する読取指示信号をスキャナ装置１０Ａに送信する（Ｓ３）。
【００６２】
スキャナ装置１０Ａは、読取指示信号を受けると、図示しない読取台に配置された紙媒体を読み取り、紙媒体の内容を示す画像データを生成する（Ｓ４）。
【００６３】
テーブル取得指示部１２は、スキャナ装置１０Ａが画像データを生成すると、生成された画像データを図示しないメモリに一時格納すると共に、画像データの転送先を選択するための転送先テーブルを取得すべく、テーブル取得信号を通信部１５に出力する。
【００６４】
通信部１５は、テーブル取得信号を受けると、テーブル取得信号を管理サーバ４０に送信する（Ｓ５）。
【００６５】
管理サーバ４０の制御部４１は、テーブル取得信号を受信すると、テーブル取得信号をテーブル取得部４２に転送する。
【００６６】
テーブル取得部４２は、テーブル取得信号を受けると、転送先ＤＢ５０から転送先テーブルを取得する（Ｓ６）。
【００６７】
管理サーバ４０の制御部４１は、テーブル取得部４２が転送先テーブルを取得すると、取得した転送先テーブルをデータ通信部４３に転送する。
【００６８】
データ通信部４３は、転送先テーブルを受けると、転送先テーブルをテーブル要求元である店舗のクライアント端末１０に送信する（Ｓ７）。
【００６９】
クライアント端末１０の制御部１１は、転送先テーブルを受信すると、転送先テーブルを画面情報生成部    に転送する。
【００７０】
画面情報生成部１３は、転送先テーブルを受けると、転送先テーブルに基づいて、画像データの転送先となる他店舗を選択するための選択画面情報を生成する（Ｓ８）。
【００７１】
表示制御部１４は、画面情報生成部１３が選択画面情報を生成すると、生成された選択画面情報に基づいて、選択画面を図示しない表示部に表示させる（Ｓ９）。
【００７２】
オペレータが選択画面を参照し、図示しない入力部を介して、いずれかの転送先となる他店舗を選択すると（Ｓ１０）、制御部１１は、メモリの画像データと共に、選択された他店舗の店舗識別データに対応するＩＰアドレス及びＦＡＸ番号のいずれかを示す転送先データ、選択された他店舗に設置されている装置が他クライアント端末２０およびＦＡＸ装置７０のいずれかを示す装置識別データを通信部１５に転送する。
【００７３】
通信部１５は、画像データ、転送先データ、装置識別データを受けると、各データを管理サーバ４０に送信する（Ｓ１１）。
【００７４】
管理サーバ４０の制御部４１は、各データを受信すると、まず、画像データ、転送先データを図示しないメモリに一時格納させると共に、装置識別データを転送先判定部４４に転送する。
【００７５】
転送先判定部４４は、受け付けた装置識別データが他クライアント端末２０を示していると、転送先の装置を他クライアント端末２０と判定し、ＦＡＸ装置７０を示していると、転送先の装置をＦＡＸ装置７０と判定する（Ｓ１２）。
【００７６】
ここで、まず、転送先判定部４４が転送先の装置を他クライアント端末２０と判定した場合について説明を行う。
【００７７】
データ通信部４３は、転送先判定部４４が転送先の装置を他クライアント端末２０と判定すると、メモリから画像データ、転送先データを取得すると共に、転送先データ（＝ＩＰアドレス）に基づいて、取得した画像データを他クライアント端末２０に送信する（Ｓ１３）。
【００７８】
他クライアント端末２０の制御部２１は、画像データを受信すると、画像データを印刷指示部２２に転送する。
【００７９】
印刷指示部２２は、画像データを受けると、画像データを付与した印刷指示信号をプリンタ装置２０Ａに出力する（Ｓ１４）。
【００８０】
プリンタ装置２０Ａは、印刷指示信号を受信すると、付与されている画像データを取得すると共に、取得した画像データに基づいて印刷処理を実行する（Ｓ１５）。
【００８１】
次に、転送先判定部４４が転送先の装置をＦＡＸ装置７０と判定した場合について説明を行う。
【００８２】
転送先判定部４４が転送先の装置をＦＡＸ装置７０と判定すると、メモリから画像データ、転送先データを取得すると共に、取得した画像データ及び転送先データ（＝ＦＡＸ番号）をＦＡＸサーバ６０に転送する（Ｓ１６）。
【００８３】
ＦＡＸサーバ６０の制御部６１は、画像データ及び転送先データ（＝ＦＡＸ番号）を受けると、各データをＦＡＸ送信部６２に転送する。
【００８４】
ＦＡＸ送信部６２は、画像データ及び転送先データを受けると、転送先データ（＝ＦＡＸ番号）に基づいて、ＦＡＸ装置７０に架電すると共に、画像データをＦＡＸ送信する（Ｓ１７）。
【００８５】
ＦＡＸ装置７０は、画像データを受信すると、受信した画像データに基づいて印刷処理を実行する（Ｓ１８）。
【００８６】
〈実施例の効果〉
本実施例のデータ通信システムでは、伝票等の紙媒体の内容を他店舗に通知する場合、自店舗に設けられたクライアント端末１０に接続されたスキャナ装置１０Ａに紙媒体の内容を示す画像データを生成させ、転送先ＤＢ５０の転送先テーブルから選択される他店舗の転送先データに基づいて、生成された画像データを他クライアント端末２０に送信し、画像データを受けた他クライアント端末２０では、接続されているプリンタ装置２０Ａに印刷指示を行い、該印刷指示を受けたプリンタ装置２０Ａが画像データに基づいて印刷処理するようにしたので、自店舗および他店舗にそれぞれＦＡＸ装置７０、電話回線を設ける必要がなくなると共に、伝票等の紙媒体の内容を他店舗に通知するために、ＦＡＸ送信を行う必要がなくなった。従って、各店舗がＦＡＸ装置７０、電話回線を整備、維持するための設備費を低減できる。また、多くのＦＡＸ送信が行われることにより多大な通信費が生じるのを防止できる。
【００８７】
また、装置識別データがＦＡＸ装置７０を示している場合、ＦＡＸサーバ６０が転送先データ（＝ＦＡＸ番号）に基づいて、ＦＡＸ装置７０に架電すると共に、画像データをＦＡＸ送信し、画像データを受信したＦＡＸ装置７０が画像データに基づいて印刷処理するようにしたので、既存のＦＡＸ装置７０のみが設置されている他店舗に対しても、従来と同様に紙媒体の内容を通知できる。また、店舗毎の転送先の装置の種類は、転送先ＤＢ５０にて管理されるので、転送元のクライアント端末１０のオペレータは、転送先の装置が何であるかを把握する必要がなくなる。
【産業上の利用可能性】
【００８８】
上記実施例では、スキャナ装置１０Ａが画像データを生成すると、クライアント端末１０のテーブル取得指示部１２がテーブル取得指示信号を管理サーバ４０に送信し、転送先テーブルを取得する構成であったが、これに限られることはなく、スキャナ装置１０Ａが画像データを生成する前に転送先テーブルを取得する構成としてもよい。
【００８９】
上記実施例では、他クライアント端末２０に接続されたプリンタ装置２０Ａを用いた構成として説明を行ったが、これに限られることはなく、ネットワーク対応プリンタ装置を用いた構成としてもよい。この場合、ネットワーク対応プリンタ装置のＩＰアドレスを転送先ＤＢ５０に登録し、ネットワーク対応プリンタ装置に対して、直接印刷データとして画像データを送信するようにすればよい。
【図面の簡単な説明】
【００９０】
【図１】本発明のデータ通信システムを示すブロック構成図
【図２】本実施例のデータ通信システムの動作フローチャート
【符号の説明】
【００９１】
１０  クライアント端末
１１  制御部
１２  テーブル取得指示部
１３  画面情報生成部
１４  表示制御部
１５  通信部
１０Ａ  スキャナ装置
２０  他クライアント端末
２１  制御部
２２  印刷指示部
２０Ａ  プリンタ装置
３０  管理端末
３１  制御部
３２  転送先登録部
３３  転送先削除部
４０  管理サーバ
４１  制御部
４２  テーブル取得部
４３  データ通信部
４４  転送先判定部
５０  転送先ＤＢ
６０  ＦＡＸサーバ
６１  制御部
６２  ＦＡＸ送信部
７０  ＦＡＸ装置
８０  ＩＰネットワーク
９０  公衆電話網
【図１】
2007194827.tif 000003
【図２】
2007194827.tif 000004